(57)【要約】 【課題】背負いバッグを背負って歩行した場合に、バッグ本体の身体の左右方向への揺れを低減でき、歩行、走行時にもベルトの位置がずれることがなく、また、歩行、走行時にバッグ本体が揺れることにより、バッグの荷重による不快感を覚えることのない背負いバッグを提供する。【解決手段】  背負いバッグ本体に左右の背負いベルトが、背負いベルトの背負いバッグ本体への取付部位の間において、互いに交差するように取付けられている【選択図】  図１
0003104322.tif 000002
【実用新案登録請求の範囲】
【請求項１】
背負いバッグ本体に左右の背負いベルトが、背負いベルトの背負いバッグ本体への取付部位の間において、互いに交差するように取付けられていることを特徴とする背負いバッグ。
【請求項２】
右肩に掛ける上記背負いベルトの上端部が、バッグの背中当接面部側において、上記背負いバッグ本体の上端右側部に接合されるとともに、その下端部が上記背負いバッグ本体の下端左側部に接続され、又、左肩に掛ける上記背負いベルトの上端部が、バッグの背中当接面部側において、上記背負いバッグ本体の上端左側部に接合されるとともに、その下端部が上記背負いバッグ本体の下端右側部に接続されていることを特徴とする請求項１記載の背負いバッグ。
【請求項３】
上記左右の背負いベルトは、背負った場合に背中側で交差するように構成されている請求項１又は２記載の背負いバッグ。
【請求項４】
上記背負いベルトは、上下両端部がそれぞれ上記背負いバッグ本体に対し固着され、中間部には長さ調節具が装着されていることを特徴とする請求項１又は２記載の背負いバッグ。
【請求項５】
上記右肩に掛ける上記背負いベルトの上端部は上記背負いバッグ本体の上端右側端部に接合されるとともに、左肩に掛ける上記背負いベルトの上端部が上記背負いバッグ本体の上端左側端部に接合されていることを特徴とする請求項２又は３記載の背負いバッグ。
【考案の詳細な説明】
【技術分野】
【０００１】
本考案はリュックサック等の背負いバッグの改良に関する。
【背景技術】
【０００２】
従来より、一般に、リュックサック等の背負いバッグには左右一対の背負いベルトが取付けられている。そして、従来のリュックサック等背負いバッグに取付けられている左右の背負いベルトは、一方の背負いベルトの上端部が背負いバッグ本体の上端一方側部に接合されるとともに、その下端部が背負いバッグ本体の下端一方側部に固定され、又、上記他方背負いベルトの上端部が背負いバッグ本体の上端他方側部に接合されるとともに、その下端部が背負いバッグ本体の下端他方側部に固定されている。
即ち、従来の背負いバッグの２本の背負いベルトの内、右側の背負いベルトは背負いバッグ本体の上端部右側及び下端部右側に固定されると共に、左側の背負いベルトは背負いバッグの上端部左側及び下端部左側に固定されている。
【０００３】
上記従来の背負いバッグは、両肩掛けにした場合も、また、片肩掛けにした場合も、歩行時や、走行時の振動により、肩に掛けた背負いベルトが、肩の外側方向へずれやすく、特に撫で肩の人は、肩から背負いベルトが外れやすく、その都度、背負いベルトの位置を直さねばならず、煩雑であるという問題があった。
また、このような従来の背負いバッグに収納物を入れて背負った場合には、バッグ本体の上端部が背中から後方に離間してしまい、バッグ本体の上端部と背中との間に間隔が形成され。このような事情は、上記バッグ本体に収納物の重量が重くなった場合に顕著であった。
その結果、このような従来の背負いバッグを背負って歩行する場合には、使用者が背負って歩くときの身体の左右方向への揺れにより、背負いバッグ本体も左右に動いてずれ、バッグ本体の荷重が使用者の右肩又は左肩にその都度かかることとなり、使用者は歩行の際に上記荷重を受けることから、身体に負担がかかり、不快感を覚える、という不具合があった。
特に、背負いバッグ本体の収納物が重い場合に、大きな荷重が歩行した場合や走った場合の揺れにより、その都度、一方の肩にかかることから歩行そのものも不安点になり、子供、老人等にとっては危険な場合もあった。
【０００４】
また、上記従来の背負いバッグは、背負いベルトを肩から外して背負いバッグを降ろす場合に、背負いバッグ本体が傾きやすく、荷重バランスがくずれて不安定であるという問題もあった。
【０００５】
上記問題の解決に係る従来の背負いバッグを調査したが、適当な先行技術文献は発見できなかった。
【考案の開示】
【考案が解決しようとする課題】
【０００６】
そこで、本考案は、このような従来の問題点に鑑み、  背負いバッグを背負って歩行した場合に、バッグ本体の身体の左右方向への揺れを低減でき、歩行、走行時にもベルトの位置がずれることがなく、また、歩行、走行時にバッグ本体が揺れることにより、バッグの荷重による不快感を覚えることのない背負いバッグを提供することを課題とする。
【課題を解決するための手段】
【０００７】
上記課題を解決するために、請求項１記載の考案にあっては、本考案の背負いバッグは、背負いバッグ本体に左右の背負いベルトが、背負いベルトの背負いバッグ本体への取付部位の間において、互いに交差するように取付けられていることを特徴とするものである。
従って、請求項１記載の考案にあっては、上記左右の背負いベルト３，４が使用者の背中側で交差するように構成されていることから、上記背負いバッグ１を背負うと、左右の上記背負いベルト３，４が背負いバッグ本体２の上端部と背中の上端部（又は肩の後）との間で交差し、交叉点１３が形成される状態となる。
【０００８】
このように左右の背負いベルト３，４が交差すると、右肩に掛けた背負いベルト４は上端部が左側へ引っ張られ、逆に、左肩に掛けられた背負いベルト３は上端部が右側へ引っ張られることになる。すなわち、左右の背負いベルト３，４は上端部１８，１９が互いに身体の中心方向へ引っ張られるので、左右の肩に掛けられた背負いベルト３，４はそれぞれ首側に寄り合い、歩行、走行時の振動によっても左右の背負いベルト３，４は肩から外れにくくなる。
また、背負いベルト３，４により背負いバッグ本体２を支持する力は互いに使用者の身体の正中線方向へ交差して作用すると共に、その交叉点１３において合力を形成し、背負いバッグ本体２を上方であって使用者の身体へ密着させる方向へ作用する。その結果、背負いベルト３，４は、背負いバッグ本体２は使用者の背中に密着するようになる。
【０００９】
また、請求項２記載の考案にあっては、右肩に掛ける上記背負いベルト３の上端部１８が、バッグの背中当接面部５側において、上記背負いバッグ本体２の上端右側部１７に接合されるとともに、その下端部２０が上記背負いバッグ本体２の下端左側部１５に接続され、又、左肩に掛ける上記背負いベルト4の上端部１９が、バッグの背中当接面部５側において、上記背負いバッグ本体２の上端左側部１６に接合されるとともに、その下端部２０が上記背負いバッグ本体２の下端右側部１４に接続されている。
従って、請求項２記載の考案にあっては、背負いベルト３，４が互いに背中側で交差することとなる。
【００１０】
また、請求項３記載の考案にあっては、上記左右の背負いベルト３，４は、背負った場合に背中側で交差するように構成されている。従って、背負いベルト３，４の交差点１３は背中側で形成される。
また、請求項４記載の考案にあっては、上記背負いベルト３，４は、上下両端部１８，１９，２０，２１がそれぞれ上記背負いバッグ本体２に対し固着され、中間部には長さ調節具１１，１２が装着されているものとすることができる。
請求項５記載の考案にあっては、上記右肩に掛ける上記背負いベルト３の上端部１８は上記背負いバッグ本体２の上端右側端部１７に接合されるとともに、左肩に掛ける上記背負いベルト４の上端部１９が上記背負いバッグ本体２の上端左側端部１７に接合されていることを特徴とする。
従って、請求項５記載の考案にあっては、２本の背負いベルトが互いに背負いバッグの上端部及び下端部の双方において端部に固定されていることから、バッグ本体を確実に背中側に密着させて保持することができる。
【考案の効果】
【００１１】
請求項１乃至３記載に係る背負いバッグは、背負いバッグ本体に左右の背負いベルトが互いに交差するように取付けられているので、左右の上記背負いベルトの上端部には、体の中心方向への力が作用するため、左右の背負いベルトの上端部が、それぞれ、身体の中心方向へ引っ張られることから、背中に背負って使用した場合には、肩に掛けられた背負いベルトが首側へ寄るようになる。
その結果、肩に掛けた背負いベルトが外方へ開かなくなり、肩の外側方向へずれないので、撫で肩の使用者であっても肩から背負いベルトが外れにくくなる。
また、上記のように、肩に掛けられた背負いベルトが首側へ引っ張られることにより、片肩掛けにした場合であっても、背負いベルトが肩の外方へずれなくなり、片肩掛けの状態であっても安定して使用することできる。
さらに、背負いバッグ本体も左右に動いてずれることがなく、左右の荷重バランスが安定して、荷重が使用者の右肩と左肩に均一にかかるようになり、使用者は荷重を必要以上に重く感じることがなくなる。
また、背負いベルトを肩から外す場合に、背負いバッグ本体が傾きにくくなって、荷重バランスが安定した状態を維持できるので、姿勢が不安定にならず、背負いバッグ本体を肩から降ろしやすくなる。
さらに、背負いベルトにより背負いバッグ本体を支持する力は互いに使用者の身体の正中線方向へ交差して作用すると共に、その交叉点において合力を形成し、背負いバッグ本体を上方であって使用者の身体へ密着させる方向へ作用する。その結果、バッグ本体は使用者の背中に密着し、
使用者は背負いバッグを安定して背負って使用することができる。
また、請求項４記載の本考案の背負いバッグは、背負いベルトが弛んでいると、上記のように背負いベルトを交差させて得られる効果が損なわれる虞があるが、上記背負いベルトは長さを調節できるので、身体に背負いベルトをフィットさせることができて、上記のように背負いベルトを交差させたことによる効果が損なわれない。
請求項５記載の考案にあっては、背負いベルトの上端部が背負いバッグ本体の上端部両側に固定されていることから、より安定して背負うことが可能となる。
【考案を実施するための最良の形態】
【００１２】
以下、添付図面を用いて本考案の実施の形態について説明する。図１及び図２に示すように、本実施形態における背負いバッグ１は、背負いバッグ本体２に左右の背負いベルト３，４が、背負いベルト３，４の背負いバッグ本体２への取付部位の間において、互いに交差するように取付けられている。
【００１３】
また、右肩に掛ける上記背負いベルト４の上端部が上記背負いバッグ本体２の、背中当接面部５側において、上端右側部に接合されるとともに、その下端部２１が上記背負いバッグ本体２の下端左側端部１５に接続され、又、左肩に掛ける上記背負いベルト３の上端部１８が上記背負いバッグ本体２の上端左側部に接合されるとともに、その下端部が上記背負いバッグ本体２の下端右側端部１４に接続されている。
また、上記背負いベルト３，４は、上下両端部がそれぞれ上記背負いバッグ本体２に対し固着され、中間部には長さ調節具１１，１２が装着されている。
【実施例】
【００１４】
本実施例に係る上記背負いバッグ本体２は、その上面部にスライドファスナ（図は省略）により開閉自在な開口部（図は省略）が形成されていて、その開口部の外側には蓋部６が被せられている。また、上記蓋部６は上記開口部を覆った状態で面ファスナ（図は省略）により背負いバッグ本体２に対し止着可能となっている。したがって、上記背負いバッグ本体２は、蓋部６を開き、さらに、開口部を開いて物を出し入れするようになっている。
【００１５】
上記背負いバッグ本体２は、その背中当接面部５に左右一対の背負いベルト３，４が取付けられている。
【００１６】
上記背負いバッグ本体２の背中当接面部５に取付けられた左右一対の上記背負いベルト３，４は、背負いバッグ本体２の装着時には、背負いバッグ本体
２の上方近傍位置で互いに交差するように取付けられている。
【００１７】
すなわち、背負ったときに、右肩に掛ける上記背負いベルト４の上端部１９が上記背負いバッグ本体２の背中当接面部５における上端右側部１７に接合されるとともに、その下端部２１が上記背負いバッグ本体２の背中当接面部５における下端左側端部１５に接合され、又、左肩に掛ける上記背負いベルト３の上端部１８は上記背負いバッグ本体２の背中当接面部５における上端左側部１６に接合されるとともに、その下端部２０が上記背負いバッグ本体２の背中当接面部５における下端左側部１４に接合されている。
【００１８】
上記背負いバッグ本体２は、上記の背中当接面部５における上端部に幅方向に沿ってテープ部７が設けられ、左右の上記背負いベルト３，４はその上端部を上記テープ部７の内側に固定されている。
【００１９】
なお、上記背負いバッグ本体２は、上記背中当接面部５における上端中央部に手持ちを行う場合に使用する把持部８が設けられ、この把持部８を形成するために使用された半円状に曲げられたチューブの両端部も上記テープ部７に固定されている。
【００２０】
上記背負いバッグ本体２の背中当接面部５における左側部と右側部にはそれぞれ略三角形の取付部９，１０が設けられ、左右の上記背負いベルト３，４の下端部がこれら取付部９，１０に接続されている。
【００２１】
左右の上記背負いベルト３，４には、それぞれ「コキ」と称されている長さ調節具１１，１２が装着されていて、長さを伸縮可能としている。
【００２２】
上記背負いベルト３，４は、上下両端をそれぞれ背負いバッグ本体２に固着していて、背負いバッグ本体２から取り外しできないように形成されている。また、上記背負いベルト３，４は中間部において分割もできないように形成されている。
【００２３】
上記背負いバッグ１を背負った場合には、図２に示すように、使用者の背中側において、左右の上記背負いベルト３，４が背負いバッグ本体２の上端部の上方近傍において、背中の稜線との間で交差し、交叉点１３が形成される状態となる。
従って、上記背負いバッグ１に何らかの収納物を収納して背負った場合には、収納物の重量により、上記背負いベルト３，４には、背負いバッグ本体２の下方へ引っ張られる力が作用する。この場合、上記の背負いベルト３，４に作用する背負いバッグ２の下方へ引っ張る力が作用する結果、上記背負いベルト３の上端部１８及び背負いベルト４の上端部１９には、背負いバッグ本体２の幅方向中心部へ引っ張られる力が、互いに対向して働く。
即ち、右肩に掛けた背負いベルト４は上端部１９が左肩方向へ引っ張られ、逆に、左肩に掛けられた背負いベルト３は上端部１８が右肩方向へ引っ張られることになる。
【００２４】
左右の背負いベルト３，４は上端部１８，１９が身体の中心方向へ引っ張られるので、左右の肩に掛けられた背負いベルト３，４はそれぞれ首側に寄った状態で固定されることから、背負いバッグ2を着用して歩行した場合や、走行した場合に、背負いバッグ２が揺れた場合であっても、背負いベルト３，４は肩から外れにくくなる。
また、背負いベルト３，４により背負いバッグ本体２を支持する力は互いに使用者の身体の正中線方向へ交差して作用すると共に、その交叉点１３において合力を形成し、背負いバッグ本体２を上方であって使用者の身体へ密着させる方向へ作用する。その結果、背負いバッグ本体２は使用者の背中に密着するようになる
従って、背負いバッグ2を着用して歩行した場合や、走行した場合に、背負いバッグ２が揺れた場合であっても、背負いバッグ２は体に密着し、振動が作用しても揺れにくくなる。
【００２５】
出願人は、本実施例に係る背負いバッグ２に関し実験を行い、以下のようなデータを得た。
使用した、本実施例にかかる背負いバッグ２の商標名は「ズレス」であり、形状の異なる「長城リュック」型及び「ＮＶ９」型に関して試験を行った。
【００２６】
「実験１」においては、歩行及びジャンプ動作を行い、「長城リュック」型に関し、従来一般に販売され使用されている同一形状のバッグと対比した。この場合、左右のベルト３，４の上部、中間部、下部において定点を特定し、歩行時、ジャンプ時における上記定点の移動量（ズレ量）を計測した。
その結果を、表1及び表2（グラフ）により示す。
この実験においては、例えば、「左ベルトの上部」（ポイント１―９）に関しては、歩行時に、従来の「長城リュック」型では１３．１ｍｍの移動量（ズレ量）が計測されているが、本実施例に係る「ズレス」の「長城リュック」型では、２．９ｍｍの移動量しか認められなかった。また、ジャンプ時においても同様に、従来品では１１．６ｍｍの移動量（ズレ量）があったが、本実施例に係る「ズレス」の「長城リュック」では３．０ｍｍの移動量しか認められなかった。
【００２７】
【表１】
0003104322.tif 000003
【表２】
0003104322.tif 000004
【００２８】
同様に、「ＮＶ９」型に関し、歩行及びジャンプ動作を行い、従来一般に販売され使用されているバッグと対比した。この場合、左右のベルトの上部、中間部、下部の３点において歩行時、ジャンプ時における定点の移動量（ズレ量）を計測した。その結果を表３及び表４のグラフに示す。
その結果、本件分析においても、左ベルトの上部（ポイント１―９）において、従来の「ＮＶ９」型リュックに関しては３２．４ｍｍの移動量（ズレ量）が計測されたが、本実施例に係る「ズレス」の「ＮＶ９」型にあっては、３．０ｍｍの移動量（ズレ量）しか認められなかった。また、ジャンプ時においても同様に、従来品では４９．４ｍｍの移動量（ズレ量）があったが、本実施例に係る「ズレス」の「長城リュック」では１０．１ｍｍの移動量しか認められなかった。
【００２９】
【表３】
0003104322.tif 000005
【表４】
0003104322.tif 000006
【００３０】
さらに、一方の肩のみに「長城リュック」をかけた状態で歩行した場合のリュックの揺れを、上部、中間部、下部の各部位において、各定点の移動の平均速度を以って測定した。その結果を表５及び表６のグラフに示す。
この場合、従来品では最大２００．８ｍｍ／Ｓ、平均にして７０．７ｍｍ／Ｓの揺れ量が測定されたが、本実施例に係る背負いバッグ２（「ズレス」）にあっては、最大４２．８ｍｍ／Ｓ、平均にして１３３．３ｍｍ／Ｓの揺れ量しか測定されなかった。
【００３１】
【表５】
0003104322.tif 000007
【表６】
0003104322.tif 000008
従って、これらの試験から、本実施例に係る背負いバッグ２を背負いベルト３，4の双方を肩にかけて装用した場合にあっては、従来品に比して、歩行時のバッグの背負いベルトの移動量が非常に少なく、また、背負いベルト３又は背負いベルト４の何れかを肩にかけた状態で歩行した場合であっても、従来品に比して大幅に揺れが低減されていることが判明した。
【図面の簡単な説明】
【００３２】
【図１】本実施形態に係る背負いバッグの正面図である。
【図２】本実施形態に係る背負いバッグの使用状態を示す背面図である。
【符号の説明】
【００３３】
１  背負いバッグ
２  背負いバッグ本体
３  背負いベルト
４  背負いベルト
５  背中当接面部
６  蓋部
７  テープ
８  輪
９  取付部
１０  取付部
１１  長さ調節具
１２  長さ調節具
１３  交叉点
１４  下端右側端部
１５  下端左側端部
１６  上端左側部
１７  上端右側部
１８  上端部
１９  上端部
２０  下端部
【図１】
0003104322.tif 000009
【図２】
0003104322.tif 000010